(57)【要約】【課題】信頼レベルと添付文書の文書レベルの組み合わせにより、禁止事項を変化させることができ、それによりメールによる情報漏洩を防止する。【解決手段】送信元ユーザ端末は、メール送信プログラム１０の制御により、添付ファイルの可否、編集、平文保存、印刷、閲覧回数および閲覧日数等の操作権の設定（１０３）と、文書レベルおよび信頼レベルの判定を行う（１０４）。管理サーバ１は、メール送信プログラム１０からの要求によりカプセル化を行い（１０６）、メール受信端末（ビューア７）からの認証要求（１１２）に応じて認証結果を返送する（１１３）。受信端末は、ネットワークを経由して添付ファイル付きメールを受信し、カプセル化された添付ファイルを起動して（１０９）、ビューア７により認証画面を表示する（１１０）。【選択図】図５
2007133475.tif 000002
【特許請求の範囲】
【請求項１】
計算機プログラムの制御により、送信元ユーザ端末から送信元メールサーバへ、該送信元メールサーバからネットワークを介して送信先のメールサーバへ、さらに該送信先のメールサーバから送信先ユーザ端末へメールを送信する場合のメール文書管理システムにおいて、
添付ファイルの文書レベルの判定を行う文書レベル判定部と、送信元メールアドレスから特定される送信元ユーザのユーザ種別と送信先メールアドレスから特定される送信先ユーザのユーザ種別の組み合わせにより信頼レベルの判定を行う信頼レベル判定部と、前記文書レベル判定部と前記信頼レベル判定部が判定した判定結果に基づき、添付ファイルの添付の可否とカプセル化の要／不要の判断を行い、該添付ファイルに設定する送信先ユーザが操作可能な編集可否、平文保存可否、印刷可否、閲覧回数、あるいは閲覧期間等の操作権を決定し、前記文書レベル判定部と前記信頼レベル判定部が判定した判定結果に基づき、メールの送信を制御し、カプセル化したファイルを添付し直してメールを送信する送信メール制御部と、から構成される送信元メールサーバと、
前記送信メール制御部からの要求により前記送信メール制御部で決定された操作権の設定処理と暗号処理を含むカプセル化を行い、かつメール受信端末側からの認証要求に応じて認証結果を返送する管理サーバと、
ネットワークを経由して添付ファイル付きメールを受信し、カプセル化された添付ファイルを起動して、該管理サーバに対して認証要求を行い、認証ＯＫとなった場合には、送信元で設定された操作権のみが操作可能なビューアを備えたユーザ端末と
を有することを特徴とするメール文書管理システム。
【請求項２】
請求項１記載のメール文書管理システムにおいて、
前記送信メール制御部は、前記文書レベル判定部と前記信頼レベル判定部の判定結果に基づき、送信遅延処理、または送信中止処理の両方またはいずれかを行い、
かつ、前記送信元ユーザ端末からの送信中止の要求があった場合に、該メールの送信中止処理を行うことを特徴とするメール文書管理システム。
【請求項３】
請求項１記載のメール文書管理システムにおいて、
前記送信元ユーザ端末は、メール送信時に、該メールで送信する添付ファイルに対して、送信先ユーザが操作可能な編集可否、平文保存可否、印刷可否、閲覧回数、あるいは閲覧期間等の全部ないし一部の操作権を設定すること、あるいは、予めシステムに設定しているデフォルト以上の操作権を設定できることを制限することを特徴とするメール文書管理システム。
【請求項４】
請求項１記載のメール文書管理システムにおいて、
前記送信元メールサーバは、送信した添付ファイルの履歴情報を格納する送信文書情報格納部と、
該送信文書情報格納部の情報に基づき、送信した添付ファイルに対して、該添付ファイルの利用停止をし、該利用停止した文書を前記送信先ユーザ端末の前記ビューアから閲覧できなくすることができる送信文書管理部と、をさらに有することを特徴とするメール文書管理システム。
【請求項５】
請求項１記載のメール文書管理システムにおいて、
前記送信文書管理部は、該送信文書情報格納部の情報に基づき、送信した添付ファイルに対して、送信した添付ファイルに対して、該添付ファイルの操作権を変更し、前記ユーザ端末の前記ビューアからは該変更した操作権のみが操作可能となることを特徴とするメール文書管理システム。
【請求項６】
請求項１記載のメール文書管理システムにおいて、
前記文書レベル判定部、前記信頼レベル判定部、前記送信メール制御部、前記送信文書情報格納部、前記送信文書管理部を、前記送信元メールサーバとは異なるサーバ、または前記送信元ユーザ端末に持つことを特徴とするメール文書管理システム。
【請求項７】
送信元ユーザ端末または送信元メールサーバは、添付ファイルの文書レベルを判定し、
送信元メールアドレスから特定される送信元ユーザのユーザ種別と送信先メールアドレスから特定される送信先ユーザのユーザ種別の組み合わせにより信頼レベルを判定し、
前記文書レベルの判定結果と前記信頼レベルの判定結果に基づき、添付ファイルの添付の可否とカプセル化の要／不要の判断を行い、該添付ファイルに設定する送信先ユーザが操作可能な編集可否、平文保存可否、印刷可否、閲覧回数、あるいは閲覧期間等の操作権を決定し、
前記文書レベルの判定結果と前記信頼レベルの判定結果に基づき、メールの送信を制御し、
該送信元ユーザ端末、あるいは該送信元メールサーバから管理サーバに対してカプセル化を要求し、
該管理サーバにより前記操作権の決定で決定した操作権の設定処理と暗号処理を含むカプセル化が行われると、該送信元ユーザ端末または該送信元メールサーバはカプセル化したファイルを添付し直してメールを送信し、
メールサーバが上記メールを受け取り、ネットワークを介して受信端末に送信し、
該メールを受信したユーザ端末は、カプセル化された添付ファイルを起動することにより、ビューアを起動し、該ビューアから該管理サーバに対して認証要求を行い、
該管理サーバから認証要求結果が返送されると、該ビューアは送信元で設定された操作権のみを操作させることを特徴とするメール文書管理方法。
【請求項８】
請求項７記載のメール文書管理方法において、
前記メール送信の制御は、前記文書レベルの判定結果と前記信頼レベルの判定結果に基づき、送信遅延処理、または送信中止処理の両方またはいずれかを行い、
かつ、前記送信元ユーザ端末からの送信中止の要求があった場合に、該メールの送信中止処理を行うことを特徴とするメール文書管理方法。
【請求項９】
請求項７記載のメール文書管理方法において、
前記送信元ユーザ端末は、メール送信時に、該メールで送信する添付ファイルに対して、送信先ユーザが操作可能な編集可否、平文保存可否、印刷可否、閲覧回数、あるいは閲覧期間等の全部ないし一部の操作権を設定すること、あるいは、予めシステムに設定しているデフォルト以上の操作権を設定できることを制限することを特徴とするメール文書管理方法。
【請求項１０】
請求項７記載のメール文書管理方法において、
前記送信元ユーザ端末または前記送信元メールサーバは、ユーザを登録する際に、当該ユーザのメールアドレスに基づいて、当該ユーザのユーザ種別を決定して登録し、また、ユーザ種別に応じて、ユーザアカウントの有効期間を設定することもできることを特徴とするメール文書管理方法。
【請求項１１】
請求項７記載のメール文書管理方法において、
前記送信元ユーザ端末または前記送信元メールサーバは、ユーザを削除、またはロックすることが可能であり、削除、またはロックしたユーザに対して、該ユーザ端末の前記ビューアから利用できなくすることを特徴とするメール文書管理方法。
【請求項１２】
請求項７記載のメール文書管理方法において、
前記送信元ユーザ端末または前記送信元メールサーバは、送信した添付ファイルの履歴情報を管理することが可能であり、送信済み添付ファイルに対して、当該添付ファイルの利用停止をすることができ、利用停止した文書を、前記ユーザ端末の前記ビューアから閲覧できなくすることを特徴とするメール文書管理方法。
【請求項１３】
請求項７記載のメール文書管理方法において、
前記送信元ユーザ端末または前記送信元メールサーバは、送信した添付ファイルの履歴情報を管理することが可能であり、送信済み添付ファイルに対して、当該添付ファイルの操作権を変更することができ、前記ユーザ端末の前記ビューアは、変更された操作権のみ操作させることを特徴とするメール文書管理方法。
【請求項１４】
請求項７記載のメール文書管理方法において、
前記送信元ユーザ端末または前記送信元メールサーバは、該ユーザ端末上で管理されているアドレス帳、あるいは該サーバ上で管理されているアドレス帳を利用してユーザ登録を行うことを特徴とするメール文書管理方法。
【請求項１５】
請求項７記載のメール文書管理方法において、
前記カプセル化は、添付ファイルが圧縮されている場合に圧縮されている添付ファイルを一時的に解凍展開し、該解凍展開した個々のファイルに対してカプセル化することができることを特徴とするメール文書管理方法。
【請求項１６】
請求項７記載のメール文書管理方法において、
前記操作権の決定と設定は、添付ファイルが複数の場合、個々のファイル毎に操作権の決定と設定が可能であることを特徴とするメール文書管理方法。
【請求項１７】
請求項７記載のメール文書管理方法において、
前記操作権の決定と設定は、送信先メールアドレスが複数の場合に、個々のメールアドレス毎に操作権の決定と設定が可能であることを特徴とするメール文書管理方法。
【請求項１８】
送信元ユーザ端末または送信元メールサーバのＣＰＵに、文書レベルの判定を行う手順、信頼レベルの判定を行う手順、添付ファイルの添付の可否とカプセル化の要／不要の判断を行う手順、添付ファイルに設定する送信先ユーザが操作可能な操作権を決定する手順、送信遅延処理を行う手順、送信停止処理を行う手順、カプセル化要求を管理サーバに対して行う手順、管理サーバによりカプセル化が行われると、カプセル化したファイルを添付し直してメール送信を行う手順、送信した添付ファイルの履歴情報を管理し、ファイルの利用停止を行う手順、ユーザ種別に応じてユーザの登録、ユーザアカウントの有効期間を設定する手順、ユーザをロック・削除を行う手順を、実行させるためのプログラム。
【発明の詳細な説明】
【技術分野】
【０００１】
本発明は、メール文書管理システムおよび方法、ならびにそのプログラムに関し、特に電子メールを受け取ったメールサーバがそのメールをネットワークに送出する前に、文書レベルおよび信頼レベルを識別して、そのメールに添付されているファイルの編集、保存、印刷、閲覧などをそれぞれ許可するか否か、許可する場合には何回まで等、の操作権を設定して送信し、それによってメールによる情報漏洩を防止するためのメール文書管理システムおよび方法、ならびにそのプログラムに関する。
【背景技術】
【０００２】
従来、メールに添付されたファイルを暗号化してインターネットに送信し、受け取った端末側で添付ファイルの文書を復号化して配布する方法（例えば、特開２００２−３３０１７３号公報参照）などがあった。これによれば、メールに添付すべき添付情報を暗号化して送信するので、セキュリティを向上させることが可能である。例えば、社外秘の電子ファイルのような機密性が求められる電子メールを暗号化して送信することにより、送信途中で情報の内容が漏洩されることがなくなる。
【０００３】
ところで、メールに添付されるファイルの情報には、ファイル毎に機密性のレベルが異なる場合がある。このような場合、上記従来例では、メール毎に求められる機密性のレベルに対応することができず、また、そのメールあるいは添付ファイルに対して、編集を禁止するだけでよいか、保存を禁止するだけでよいか、印刷を禁止するだけでよいか、閲覧を禁止するだけでよいか、また、それぞれ回数を決めて、その回数以上は禁止した方がよいか、等、文書レベルや信頼レベルによって要求が異なる場合がある。従来の技術では、このような要求に応えることはできない。
【０００４】
【特許文献１】特開２００２−３３０１７３号公報
【発明の開示】
【発明が解決しようとする課題】
【０００５】
最近では、相次ぐ漏洩事故のため、メール媒体での情報漏洩対策の必要性が高まっている。前述のように、単にメールの添付ファイルを暗号化してインターネットに送信するだけでは、機密性のレベルの相違による対応、例えば、受信端末側において、添付ファイルの編集、保存、印刷、閲覧等のそれぞれについて禁止したり、決められた回数までを許可したりすることは不可能であった。
このため、信頼レベルやメール文書の文書レベルの違いにより、対応を変化させることができ、それによって文書管理の安全性を高め、機密情報の漏洩を防止し、セキュリティを向上させることが要求されている。
【０００６】
（目的）
本発明の目的は、上記の要求に応えるため、信頼レベルとメール文書の文書レベルの組み合わせにより、禁止事項を変化させることができ、それによりメールによる情報漏洩を防止することが可能なメール文書管理システムおよび方法、ならびにそのプログラムを提供することである。
【課題を解決するための手段】
【０００７】
本発明のメール文書管理システムは、計算機プログラムの制御により、送信元ユーザ端末から送信元メールサーバへ、該送信元メールサーバからネットワークを介して送信先のメールサーバへ、さらに該送信先のメールサーバから送信先ユーザ端末へ送信する場合のメール文書管理システムにおいて、添付ファイルの文書レベルの判定を行う文書レベル判定部と、送信元メールアドレスから特定される送信元ユーザのユーザ種別と送信先メールアドレスから特定される送信先ユーザのユーザ種別の組み合わせにより信頼レベルの判定を行う信頼レベル判定部と、前記文書レベル判定部と前記信頼レベル判定部が判定した判定結果に基づき、添付ファイルの添付の可否とカプセル化の要／不要の判断を行い、該添付ファイルに設定する送信先ユーザが操作可能な編集可否、平文保存可否、印刷可否、閲覧回数、あるいは閲覧期間等の操作権を決定し、前記文書レベル判定部と前記信頼レベル判定部が判定した判定結果に基づき、メールの送信を制御し、カプセル化したファイルを添付し直してメールを送信する送信メール制御部と、から構成される送信元メールサーバと、前記送信メール制御部からの要求により前記送信メール制御部で決定された操作権の設定処理と暗号処理を含むカプセル化を行い、かつメール受信端末側からの認証要求に応じて認証結果を返送する管理サーバと、ネットワークを経由して添付ファイル付きメールを受信し、カプセル化された添付ファイルを起動して、該管理サーバに対して認証要求を行い、認証ＯＫとなった場合には、送信元で設定された操作権のみが操作可能なビューアを備えたユーザ端末とを有することを特徴としている。
また、前記のメール文書管理システムにおいて、前記送信メール制御部は、前記文書レベル判定部と前記信頼レベル判定部の判定結果に基づき、送信遅延処理、または送信中止処理の両方またはいずれかを行い、かつ、前記送信元ユーザ端末からの送信中止の要求があった場合に、該メールの送信中止処理を行うことも特徴としている。
また、前記のメール文書管理システムにおいて、前記送信元ユーザ端末は、メール送信時に、該メールで送信する添付ファイルに対して、送信先ユーザが操作可能な編集可否、平文保存可否、印刷可否、閲覧回数、あるいは閲覧期間等の全部ないし一部の操作権を設定すること、あるいは、予めシステムに設定しているデフォルト以上の操作権を設定できることを制限することも特徴としている。
また、前記のメール文書管理システムにおいて、前記送信元メールサーバは、送信した添付ファイルの履歴情報を格納する送信文書情報格納部と、該送信文書情報格納部の情報に基づき、送信した添付ファイルに対して、該添付ファイルの利用停止をし、該利用停止した文書を前記送信先ユーザ端末の前記ビューアから閲覧できなくすることができる送信文書管理部と、をさらに有することも特徴としている。
また、前記のメール文書管理システムにおいて、前記送信文書管理部は、該送信文書情報格納部の情報に基づき、送信した添付ファイルに対して、送信した添付ファイルに対して、該添付ファイルの操作権を変更し、前記ユーザ端末の前記ビューアからは該変更した操作権のみが操作可能となることも特徴としている。
また、前記のメール文書管理システムにおいて、前記文書レベル判定部、前記信頼レベル判定部、前記送信メール制御部、前記送信文書情報格納部、前記送信文書管理部を、前記送信元メールサーバとは異なるサーバ、または前記送信元ユーザ端末に持つことも特徴としている。
【０００８】
本発明のメール管理方法は、送信元ユーザ端末または送信元メールサーバが、添付ファイルの文書レベルを判定し、送信元メールアドレスから特定される送信元ユーザのユーザ種別と送信先メールアドレスから特定される送信先ユーザのユーザ種別の組み合わせにより信頼レベルを判定し、前記文書レベルの判定結果と前記信頼レベルの判定結果に基づき、添付ファイルの添付の可否とカプセル化の要／不要の判断を行い、該添付ファイルに設定する送信先ユーザが操作可能な編集可否、平文保存可否、印刷可否、閲覧回数、あるいは閲覧期間等の操作権を決定し、前記文書レベルの判定結果と前記信頼レベルの判定結果に基づき、メールの送信を制御し、該送信元ユーザ端末、あるいは該送信元メールサーバから管理サーバに対してカプセル化を要求し、該管理サーバにより前記操作権の決定で決定した操作権の設定処理と暗号処理を含むカプセル化が行われると、該送信元ユーザ端末または該送信元メールサーバはカプセル化したファイルを添付し直してメールを送信し、メールサーバが上記メールを受け取り、ネットワークを介して受信端末に送信し、該メールを受信したユーザ端末は、カプセル化された添付ファイルを起動することにより、ビューアを起動し、該ビューアから該管理サーバに対して認証要求を行い、該管理サーバから認証要求結果が返送されると、該ビューアは送信元で設定された操作権のみを操作させることを特徴としている。
また、本発明のメール文書管理方法において、前記メール送信の制御は、前記文書レベルの判定結果と前記信頼レベルの判定結果に基づき、送信遅延処理、または送信中止処理の両方またはいずれかを行い、かつ、前記送信元ユーザ端末からの送信中止の要求があった場合に、該メールの送信中止処理を行うことも特徴としている。
また、前記のメール文書管理方法において、前記送信元ユーザ端末は、メール送信時に、該メールで送信する添付ファイルに対して、送信先ユーザが操作可能な編集可否、平文保存可否、印刷可否、閲覧回数、あるいは閲覧期間等の全部ないし一部の操作権を設定すること、あるいは、予めシステムに設定しているデフォルト以上の操作権を、ユーザが設定できることを制限することも特徴としている。
【０００９】
また、前記のメール文書管理方法において、前記送信元ユーザ端末または前記送信元メールサーバは、ユーザを登録する際に、当該ユーザのメールアドレスに基づいて、当該ユーザのユーザ種別を決定して登録し、また、ユーザ種別に応じて、ユーザアカウントの有効期間を設定することもできることも特徴としている。
また、前記のメール文書管理方法において、前記送信元ユーザ端末または前記送信元メールサーバは、ユーザを削除、またはロックすることが可能であり、削除、またはロックしたユーザに対して、該ユーザ端末の前記ビューアから利用できなくすることも特徴としている。
また、前記のメール文書管理方法において、前記送信元ユーザ端末または前記送信元メールサーバは、送信した添付ファイルの履歴情報を管理することが可能であり、送信済み添付ファイルに対して、当該添付ファイルの利用停止をすることができ、利用停止した文書を、前記ユーザ端末の前記ビューアから閲覧できなくすることも特徴としている。
また、前記のメール文書管理方法において、前記送信元ユーザ端末または前記送信元メールサーバは、送信した添付ファイルの履歴情報を管理することが可能であり、送信済み添付ファイルに対して、当該添付ファイルの操作権を変更することができ、前記ユーザ端末の前記ビューアは、変更された操作権のみ操作させることも特徴としている。
また、前記のメール文書管理方法において、前記送信元ユーザ端末または前記送信元メールサーバは、該ユーザ端末上で管理されているアドレス帳、あるいは該サーバ上で管理されているアドレス帳を利用してユーザ登録を行うことも特徴としている。
また、前記のメール文書管理方法において、前記カプセル化は、添付ファイルが圧縮されている場合に圧縮されている添付ファイルを一時的に解凍展開し、該解凍展開した個々のファイルに対してカプセル化することができることも特徴としている。
また、前記のメール文書管理方法において、前記操作権の決定と設定は、添付ファイルが複数の場合、個々のファイル毎に操作権の決定と設定が可能であることも特徴としている。
さらに、前記のメール文書管理方法において、前記操作権の決定と設定は、送信先メールアドレスが複数の場合に、個々のメールアドレス毎に操作権の決定と設定が可能であることも特徴としている。
また、本発明のプログラムは、送信元ユーザ端末または送信元メールサーバのＣＰＵに、文書レベルの判定を行う手順、信頼レベルの判定を行う手順、添付ファイルの添付の可否とカプセル化の要／不要の判断を行う手順、添付ファイルに設定する送信先ユーザが操作可能な操作権を決定する手順、送信遅延処理を行う手順、送信停止処理を行う手順、カプセル化要求を管理サーバに対して行う手順、管理サーバによりカプセル化が行われると、カプセル化したファイルを添付し直してメール送信を行う手順、送信した添付ファイルの履歴情報を管理し、ファイルの利用停止を行う手順、ユーザ種別に応じてユーザの登録、ユーザアカウントの有効期間を設定する手順、ユーザをロック・削除を行う手順を、実行させるためのプログラムである。
【発明の効果】
【００１０】
本発明によれば、信頼レベルと添付ファイルの文書レベルに基づいて、添付ファイルへの操作権を設定でき、送信制御、ならびに、添付ファイルに対して、編集可否、平文保存可否、印刷可否、閲覧可否、閲覧期間の変化などの対応を変えることができるので、木目細かな手段により、機密情報の漏洩を防止することができる。
【発明を実施するための最良の形態】
【００１１】
以下、本発明の実施例を、図面により詳細に説明する。
（機能１）
本発明の機能１について説明する。
（文書レベル）
文書レベルは、ファイルの機密性のレベルを表し、ファイル自体に設定されている。文書レベルとしては、例えば、極秘、社外秘、グループ外秘、一般、その他、等に分類される。
ファイルによっては、文書レベルが設定されていないもののあるが、文書レベルの判定で、文書レベルなしという判定を行い、制御することができる。
（信頼レベル）
信頼レベルとは、送信元のユーザ種別と送信先のユーザ種別との関係における信頼度を表す。ユーザ種別としては、例えば、会社の場合には、役員、マネージャ、一般社員、アルバイト、外注先、グループ会社の社員、その他、等に分類される。これらのユーザ種別の関係において、信頼度をレベル付けしたものが、信頼レベルとなる。
例えば、送信元ユーザのユーザ種別がマネージャで、送信先ユーザのユーザ種別がグループ会社の社員の場合に、信頼レベルを高くし、送信元ユーザのユーザ種別がアルバイトであれば、信頼度を低く設定することができる。
送信元メールアドレスから特定される送信元ユーザのユーザ種別と送信先メールアドレスから特定される送信先ユーザのユーザ種別の組み合わせにより信頼レベルを判定する。
（添付ファイルの操作権）
操作権は、送信先ユーザが添付ファイルに対して操作することができる権限である。
操作権としては、例えば、編集の可否、平文保存の可否、印刷の可否、閲覧の可否、閲覧回数、閲覧期間等、である。編集の可否とは、送信したファイルの内容を変更したり、追加、削除等を行ったりできないように指定するか否かである。また、平文保存の可否とは、閲覧しているファイルをローカルのハードディスクに復号化された状態で保存できないように指定するか否かである。また、印刷の可否とは、ファイルの情報を印刷できないように指定するか否かである。
【００１２】
次に、本発明の機能２について説明する。
（送信制御）
信頼レベルと文書レベルに基づいて、メールへの添付ファイルの許可・不許可の判定と制御、添付ファイルのカプセル化の要／不要の判定と制御、添付ファイルの操作権の決定、および、メールの送信遅延の制御、および、メールの送信停止の制御、および、添付ファイルのカプセル化（暗号化して、操作権設定）を行う。
添付ファイルの許可・不許可の判定と制御では、例えば、文書レベルが高く、信頼レベルが低い場合に、メールへの添付を不許可にし、メール送信を中止することが可能である。この場合、送信元ユーザ端末に警告ダイアログを表示させることもできる。
文書レベルが設定されていないファイルが添付された場合に、メールへの添付を不許可にし、メール送信を中止することが可能である。この場合、送信元ユーザ端末に文書レベルを設定しなければ送信できない旨のメッセージダイアログを表示させることもできる。
添付ファイルのカプセル化の要／不要の判定と制御では、例えば、文書レベルがある一定以上のものに対して、常にカプセル化を行うことも可能である。
社内でのメール送信に該当する信頼レベルを設定しておき、これに該当するメールの場合に、カプセル化を行わないことも可能である。
【００１３】
添付ファイルの操作権の決定は、予めシステムで信頼レベルと文書レベルの組み合わせ毎に設定しておくことで、メール送信時に、設定されている信頼レベルと文書レベルに基づく操作権を自動的に決定することができる。
メール送信時に、当該メールで送信する添付ファイルに対して、送信元ユーザ端末において操作権を任意に設定することもできる。送信元ユーザが操作権を設定する場合、予めシステムに設定しているデフォルト以上の操作権を設定することを禁止することもできる。例えば、決められた範囲内でしか操作権を設定できない。
上記操作権の自動決定と、上記送信元端末による操作権設定は、併用することも可能である。このとき、送信元ユーザが操作権の設定を行わないで送信することも可能であり、その場合には、予めシステムのデフォルトとして設定されている操作権が設定される。
なお、送信先メールアドレスが複数の場合には、個々の送信先メールアドレス毎に操作権を設定できる。
なお、添付ファイルが複数の場合には、個々のファイル毎に操作権の設定が可能である。
また、送信メールアドレスが複数の場合には、個々のメールアドレス毎に操作権の設定が可能である。
【００１４】
また、暗号化処理では、信頼レベルと文書レベルに基づいた暗号方式、暗号強度を適応することも可能である。
また、添付ファイルに文書レベルが付与されていなくても制御できる。
なお、添付ファイルが圧縮されている場合には、サーバで一時的に解凍展開し、個々のファイルの文書レベルを判別する。
なお、添付ファイルが圧縮されている場合に圧縮されている添付ファイルを一時的に解凍展開し、個々のファイルに対してカプセル化することが可能である。
【００１５】
次に、本発明の機能３について説明する。
（ユーザ管理）
ユーザを登録する際には、当該ユーザのメールアドレスに基づき、当該ユーザのユーザ種別を決定して、登録する。この場合、ドメインアドレスに基づきユーザ種別を決定することが可能である。
各送信元ユーザが、自分で管理しているアドレス帳から送信先ユーザを登録することができる。この場合、一般的に取引相手のメールアドレスは、個々のアドレス帳で管理されていることが多いので、それを利用することが可能である。ユーザの種別としては、例えば、会社の場合には、役員、マネージャ、一般社員、アルバイト、外注先、グループ会社の社員、その他、等に分類される。
その他、送信元ユーザ端末、送信元メールサーバは、ユーザのロック、削除が可能であり、その場合、送信先のユーザは、自動的に利用できなくなる。
ユーザ種別に応じて、そのユーザアカウントの有効期限を設定することができる。その場合、有効期限が切れたならば、自動的にロック、または削除する。
なお、ユーザ端末上で管理されているアドレス帳、または、サーバ上で管理されているアドレス帳（共有されているものをイメージしている）から、ユーザ登録したいアドレスを選択してユーザ登録することができる。例えば、アドレス帳のユーザ情報画面に、『ユーザ登録』ボタンを配備し、これをクリックすることによりユーザ登録が可能になる。
【００１６】
（ファイル利用停止）
送信した添付ファイルの履歴情報を管理することが可能であり、送信済み添付ファイルに対して、当該添付ファイルの利用を停止することができる。この場合、利用停止された文書は、送信先ユーザ端末のビューアから閲覧できなくなる。
送信済みのメール画面に利用停止ボタンを表示し、そのボタンをクリックするだけで、当該メールで送信した添付文書の利用停止が可能となる。この場合、利用停止ボタンクリック後に、確認ダイアログを表示させることもできる。
【００１７】
なお、メール送信プログラムには、送信、転送、再送、返信等の数種類のボタンを持っているのが通常である。本発明における送信は、上記全てを網羅するものとする。
なお、本発明のメール文書管理システムでは、新たに管理サーバが設けられるとともに、文書レベル判定部、信頼レベル判定部、送信メール制御部、送信文書情報格納部、送信文書管理部を、送信元メールサーバに内蔵すること可能であるが、既存のメールサーバにこれらの機能を内蔵することが使用者にとって困難である場合には、既存のメールサーバとは別に配置することも可能である。
なお、上記の代替方法として、メールサーバは既存のものそのままを使用し、文書レベル判定部、信頼レベル判定部、送信メール制御部、送信文書情報格納部、送信文書管理部を送信元ユーザ端末に付属させることも可能である。
なお、メールサーバ機能を有するグループウェアサーバ等に対しても、文書レベル判定部、信頼レベル判定部、送信メール制御部、送信文書情報格納部、送信文書管理部を付属させることも可能である。
なお、実施例では、上記の方法を用いており、ＩＢＭグループウェア製品であるＮｏｔｅｓ／Ｄｏｍｉｎｏを利用しているが、本発明はこれらに限定されず、その他の既存製品を利用することができる。
図１は、Ｎｏｔｅｓ／Ｄｏｍｉｎｏをプラットフォームとする場合を示している。
【００１８】
図１は、本発明のメール文書管理システムの全体接続図である。
本実施例では、ＩＢＭグループウェア製品（Ｌｏｕｔｕｓ  Ｎｏｔｅｓ／Ｄｏｍｉｎｏ）を利用している企業を主な対象として、管理サーバとＮｏｔｅｓメールを連携させた構成について説明する。
図１において、１は本実施例で新たに設置された管理サーバ、２はメールサーバ、３はＬｏｔｕｓ  Ｄｏｍｉｎｏ、４はＬｏｔｕｓ  Ｎｏｔｅｓ、５は社内ユーザ端末、６はネットワーク、７は受信端末に設置されたビューア、８は従来から存在するメーラーである。
Ｌｏｔｕｓ  Ｎｏｔｅｓ４には、文書レベル判定部と信頼レベル判定部が内蔵される。
また、Ｌｏｔｕｓ  Ｄｏｍｉｎｏ３には、添付ファイルの添付の有無とカプセル化の要／不要の判断や、添付ファイルに設定する送信先ユーザが操作可能な編集の可否、平文保存可否、印刷可否、閲覧回数、閲覧期間等の操作権を決定するとともに、カプセル化したファイルを添付し直してメールを送信する送信メール制御部と、送信文書情報格納部と、送信文書管理部とを内蔵する。
まず、Ｌｏｔｕｓ  Ｎｏｔｅｓ４の送信ボタンをクリックすると、Ｌｏｔｕｓ  Ｎｏｔｅｓ４は添付ファイルが付加されているか否かを判別し、付加されている場合には、添付ファイルの文書レベルを判別し、また、送信元と送信先のメールアドレスから、該当する信頼レベルを判定する。
Ｌｏｔｕｓ  Ｄｏｍｉｎｏ３は、文書レベルと信頼レベルに基づき、該当添付ファイルの添付が許可されているか否かを判別する。添付が許可されている場合、添付ファイルのカプセル化の要／不要を判別する。カプセル化が必要な場合、文書レベルと信頼レベルに基づいて操作権を決定し、当該操作権でのカプセル化を管理サーバ１に要求する。管理サーバ１では、添付ファイルに対してカプセル化を行い、再度、Ｌｏｔｕｓ  Ｄｏｍｉｎｏ３に返送する。送信先に社内ユーザが含まれており、かつ、当該社内ユーザに対する信頼レベルの設定でカプセル化が不要な設定となっている場合、Ｌｏｔｕｓ  Ｄｏｍｉｎｏ３は添付ファイルのカプセル化を行わずに社内ユーザ５に送信する。
なお、Ｌｏｔｕｓ  Ｎｏｔｅｓ４で操作権を設定することも可能で、その場合、送信ボタンをクリックすると、操作権設定ダイアログをポップアップ表示し、ユーザが操作権を指定することができる。このとき、Ｌｏｔｕｓ  Ｎｏｔｅｓ４は、添付ファイルの文書レベルを判別し、また、送信元と送信先のメールアドレスから、該当する信頼レベルを判定し、文書レベルと信頼レベルに基づいた操作権のうち、ユーザが指定することが可能な操作権のみを入力可能とすることができる。例えば、平文保存が許可されていないような文書レベルと信頼レベルの場合、Ｌｏｔｕｓ  Ｎｏｔｅｓ４から平文保存を可とすることができない。Ｌｏｔｕｓ  Ｄｏｍｉｎｏ３は、Ｌｏｔｕｓ  Ｎｏｔｅｓ４でポップアップ表示した操作権設定ダイアログで入力された操作権を指定して、管理サーバ１にカプセル化を要求する。
【００１９】
Ｌｏｔｕｓ  Ｄｏｍｉｎｏ３は、カプセル化されたファイルを添付し直してメールサーバ２に転送して、メールサーバ２からネットワーク６を経由して既存のメーラー８に送信する。
既存のメーラー８で受信したメールに添付されているカプセル化された添付ファイルをビューア７で起動すると、ビューア７は、送信元の管理サーバ１に認証を要求する。管理サーバ１により認証ＯＫとなった場合、ビューア７では送信元で指定された操作権のみしか操作できない。
なお、編集許可されていた場合、カプセル化を保持したままの編集が可能であり、また編集したファイルはカプセル化されているため、メールに添付して返送してもセキュリティを保つことが可能である
なお、カプセル化された添付ファイルをコピーした場合、コピーされたファイルも制御される。
【００２０】
Ｌｏｔｕｓ  Ｎｏｔｅｓ４は、送信文書履歴から、送信文書の操作権変更、および、利用停止を行うことができる。
Ｌｏｔｕｓ  Ｎｏｔｅｓ４で操作権の変更を行ったファイルは、送信先のビューア７で変更された操作権のみしか操作できなくなる。例えば、印刷可となっていたファイルに対して、印刷不可に操作権を変更した場合、送信先のビューア７では、操作権を変更されたファイルの印刷が不可能となる。
また、Ｌｏｔｕｓ  Ｎｏｔｅｓ４でファイルの利用停止を行った場合、送信先のビューア７では当該ファイルを閲覧できなくなる。勿論、編集、印刷、保存も不可能である。
また、Ｌｏｔｕｓ  Ｎｏｔｅｓ４で取引終了ユーザに対して、ユーザのロック、削除が可能である。その場合、送信先のユーザは自動的に利用できなくなる。
【００２１】
図２は、従来と本発明の機能を比較した図である。
先ず、図２（ａ）の従来の機能を説明する。Ａ社、Ｂ社、Ｃ社の各システムは、それぞれメールサーバ２と、それに接続されたユーザ端末５が、それぞれネットワーク６を介して接続される。Ａ社のあるユーザ端末５から添付ファイル付きメールがメールサーバ２に送られると、このメールはネットワーク６を経由して送信先のメールサーバ２を介し送信先端末５に送信される。
この場合、送信元のユーザ端末５は、送信してから送信先アドレスを間違えたことに気づいたとき、そのメール情報、添付ファイルの情報は漏洩してしまう。
【００２２】
次に、図２（ｂ）の本発明の機能を説明する。Ａ社のあるユーザ端末５から添付ファイル付きメールをメールサーバ２に送信すると、メールサーバ２はこのメールに添付されている添付ファイルを一旦管理サーバ１に送り、管理サーバ１では添付ファイルのカプセル化を行った後、再度、メールサーバ２に返送する。メールサーバ２は、カプセル化されたファイルを添付し直して、ネットワーク６を経由して送信先であるＢ社のメールサーバ２を介してユーザ端末５に送信する。ユーザ端末５のビューア７は送信元の管理サーバ１に対して認証を要求する。管理サーバ１は、送信先ユーザの認証と、当該添付ファイルの操作権限を検査し、送信先ユーザ端末５上のビューア７に返送する。もし、誤って、送信先でないＤ社のユーザ端末５に送信された場合には、送信先でないＤ社のユーザ端末５のビューア７から送信元の管理サーバ１に対して認証を要求しても、当該添付ファイルの操作権限がないことを返送する。これにより、送信先でないＤ社のユーザ端末５では、添付ファイルの閲覧もできない。勿論、編集、印刷、保存も不可能である。
なお、図２では、信頼レベル、文書レベルの判定、管理サーバへのカプセル化の要求、を送信元メールサーバが行っているが、送信元メールサーバ以外の別サーバ、送信元差ユーザ端末もこれらの処理を行うことができ、処理の手順は送信元メールサーバと同じである。
【００２３】
図３（ａ）（ｂ）は、それぞれユーザ情報と信頼レベルのデータイメージ図（１）である。
ユーザ情報としては、図３（ａ）に示すように、ユーザが登録されると、ユーザＩＤ、メールアドレス、ユーザ種別（社員、マネージャ、グループ会社、外注先等）および氏名が記述されたテーブルが作成される。
また、図３（ｂ）に示すように、信頼レベルとしては、送信元ユーザ種別（役員、マネージャ、一般社員、アルバイト）と送信先ユーザ種別（役員、マネージャ、一般社員、アルバイト、外注先、グループ会社、その他）との組み合わせに対して、Ａ〜Ｄのレベルを登録しておく。
【００２４】
図４は、信頼レベルおよび文書レベルにより、添付可否、添付ファイル権限、および遅延時間を設定したデータイメージ図（２）である。
信頼レベルにはＡ，Ｂ，Ｃの種別があり、文書レベルにもＡ，Ｂ，Ｃの種別がある。これらの組み合わせによって、添付可否、添付ファイルの権限、遅延時間がそれぞれ定められる。例えば、信頼レベルＡで文書レベルＡの場合には、添付ファイルの添付は可であるが、編集は不可であり、平文保存も不可であり、印刷も不可であり、閲覧回数は１０回まで許可され、閲覧日数は１０日間であり、遅延時間は３分である。
この場合、信頼性が高いが、機密性も高いと予測されるので、閲覧を除いて他の編集、保存、印刷等は許されず、閲覧日数も１０日、閲覧回数も１０回と限定されている。なお、遅延時間３分とされるのは、送信元が送信した後、送信者が３分以内に送信先または送信内容の誤りを検出した場合には、直ちに送信中止を行うことにより、メールの送信を中止することができる。
【００２５】
一方、信頼レベルＢで文書レベルＢの場合には、添付ファイルの添付は可、編集は可、平文保存は不可、印刷は可、閲覧回数は１０回、閲覧期間は１０日、遅延時間は５分となっている。
また、信頼レベルＣで文書レベルＡ，Ｂ，Ｃの場合には、文書レベル如何にかかわらず、信頼レベルが高くないため、添付ファイルの添付は不可、編集、平文保存、印刷のいずれも不可となっている。
【００２６】
図５は、本発明のメール送受信のシーケンスチャートである。
図５において、１１はＬｏｔｕｓ  Ｎｏｔｅｓ４の操作員であり、１０はメール送信プログラムであり、１は管理サーバであり、２は送信元のメールサーバであり、７は受信端末側のビューアである。Ｌｏｔｕｓ  Ｎｏｔｅｓ４の操作員１１は、先ず送信ボタンをクリックし（１０１）、これによりメール送信プログラム１０の動作により権限設定画面を表示する（１０２）。操作員１１により、操作権限の入力が行われると（１０３）、メール送信プログラム１０は、文書レベル、信頼レベルの判定を行い（１０４）、カプセル化要求をプログラム１０から管理サーバ１に対して行う（１０５）。管理サーバ１によりカプセル化が行われると（１０６）、プログラム１０は送信遅延処理を行い（１０７）、カプセル化したファイルを添付し直してメール送信を行う（１０８）。管理サーバ１が行うカプセル化は、権限設定画面に入力された操作権が設定される。
【００２７】
メールサーバ２はこのメールを受け取り、ネットワークを介して受信端末に送信する。端末では、カプセル化された添付ファイルを起動することにより（１０９）、ビューア７が起動し、認証画面を表示する（１１０）。ビューア７が認証要求を行うことにより、受信端末の操作員はＩＤ、パスワードの入力を行い（１１１）、ビューア７から送信元の管理サーバ１に対して認証要求を行う（１１２）。管理サーバ１から認証要求結果が返送されると（１１３）、ビューア７はファイルを表示する（１１４）。
【００２８】
図６は、図１における管理サーバの構成を示す図である。
図６に示すように、管理サーバ１は、Ｌｏｔｕｓ  Ｄｏｍｉｎｏ３や、受信側のビューア７との間で送受信を行う通信制御部１１Ａと、サーバ全体の制御を行う処理制御部１２Ａと、管理システムに関する各種のデータを記憶するデータ記憶部１３Ａとを備えている。
管理サーバ１は、前述のように、ファイルの閲覧・印刷権限等を制御し、ファイルの閲覧実行回数の設定（１回〜回数制限なし）と、ファイルの閲覧実行期間の設定（×年×月×日〜×年×月×日）等と行い、ファイルの２次流出防止を図る。
【００２９】
流出防止は、トラッキング（ユーザの利用履歴の蓄積、不正利用の抑制）と、ブロッキング（ユーザの不正利用の防止）により行う。ブロッキングには、非永続的ブロッキング（コンテンツを一度利用するとブロッキングが解除されるため、永続的な保護ができず、コンテンツのコピーが可能）と、永続的ブロッキング（コンテンツの永続的保護が可能）とがあるが、本実施例では、永続的ブロッキングを施すことで、ファイルの２次流出防止を図っている。具体的には、対象のファイルを暗号化して利用権利を設定し、暗号化されたままのファイルを用途に応じて利用し、ファイル利用後も暗号化されたまま再配布による情報の流出を防止する。
【００３０】
なお、以上説明した処理（具体的には、文書レベルの判定を行う手順、信頼レベルの判定を行う手順、添付ファイルの添付の可否とカプセル化の要／不要の判断を行う手順、添付ファイルに設定する送信先ユーザが操作可能な操作権を決定する手順、送信遅延処理を行う手順、送信停止処理を行う手順、カプセル化要求を管理サーバに対して行う手順、管理サーバによりカプセル化が行われると、カプセル化したファイルを添付し直してメール送信を行う手順、送信した添付ファイルの履歴情報を管理し、ファイルの利用停止を行う手順、ユーザ種別に応じてユーザの登録、ユーザアカウントの有効期間を設定する手順、ユーザをロック・削除を行う手順）を送信元ユーザ端末または送信元メールサーバのＣＰＵに行わせるためのプログラムは、ＣＤ−ＲＯＭ，ＤＶＤ，ＦＤなどの記録媒体やインターネットなどのネットワークを介して流通させることができることはいうまでもない。
【図面の簡単な説明】
【００３１】
【図１】本発明のメール文書管理システムの全体接続図である。
【図２】本発明のメール文書管理システムの従来との機能比較図である。
【図３】本発明のユーザ情報および信頼レベルを示すデータイメージ図（１）である。
【図４】本発明の信頼レベル、文書レベルに対応した添付可否、添付ファイル権限、遅延時間を示すデータイメージ図（２）である。
【図５】本発明のメール送受信のシーケンスチャートである。
【図６】本発明の管理サーバの構成を示す図である。
【符号の説明】
【００３２】
１：管理サーバ
２：メールサーバ
３：Ｌｏｔｕｓ  Ｄｏｍｉｎｏ
４：Ｌｏｔｕｓ  Ｎｏｔｅｓ
５：ユーザ端末
６：ネットワーク
７：ビューア
８：既存メーラー
１０：メール送信プログラム
１１：操作員
１１Ａ：通信制御部
１２Ａ：処理制御部
１３Ａ：データ記憶部 
【図１】
2007133475.tif 000003
【図２】
2007133475.tif 000004
【図３】
2007133475.tif 000005
【図４】
2007133475.tif 000006
【図５】
2007133475.tif 000007
【図６】
2007133475.tif 000008